(57)【特許請求の範囲】
【請求項１】
地中内に埋設された既設管路内に挿通すべき部材を、地上に固定設置された牽引装置の作動をして牽引ワイヤを介し前記既設管路内に入口から出口に向かって引き込むに際し、前記既設管路の出口側外方において、前記牽引ワイヤ及びこれに後続する前記挿通部材の移動経路を前記既設管路の軸方向から地上方向へ向けて案内するために設置されるガイドロール装置であって、
前記既設管路の出口側端部に固定され、該既設管路出口から引き出される前記牽引ワイヤ及び挿通部材を地上方向へ導く第１ガイドロール部材と、
前記牽引装置及び既設管路出口間における前記牽引ワイヤの移動経路上に位置するように、前記牽引装置側に固定される支持部材と、
一端が前記第１ガイドロール部材に且つ他端が前記支持部材に、それぞれ連結される軸方向長さ調整可能な支柱とを備え、
前記支柱と第１ガイドロール部材及び支持部材とが、自在継手を介して連結されることにより、前記支柱は既設管路の軸方向に対して任意方向に振ることが可能とされており、
前記支持部材には、前記牽引ワイヤ及び挿通部材を牽引装置の方向に案内する第２ガイドロール部材が備えられ、
前記第１ガイドロール部材は、前記既設管路に対し管軸方向位置調整可能に固定され、
前記支持部材は、前記牽引装置に対し垂直方向位置調整可能に固定される
ことを特徴とするガイドロール装置。
【発明の詳細な説明】
【０００１】
【発明の属する技術分野】
本発明は、既設埋設管路内に挿通すべき部材を、地上に設置固定した牽引装置の作動をして前記既設管路に引き込み挿入するに際し用いられるガイドロール装置に関する。
【０００２】
【従来の技術】
地中内に埋め込まれたガス管等の既設管路内に、管路更生用のプラスチック管やブラシ，スクレーパ等の管内清掃具などの管路内挿通部材を、牽引ワイヤを介して、地上に設置したウインチ等の牽引装置の作動をして前記既設管路の入口から出口に向かって引き込む際には、前記既設管路の出口側外方にガイドロール装置を設置し、該ガイドロール装置により前記牽引ワイヤの進行方向を管軸方向から地上の牽引装置の方向に向けられる。
【０００３】
以下に、前記管路内挿通部材として内張り用プラスチック管を用いる場合を例に、従来のガイドロール装置における問題点を説明する。この既設管路内へのプラスチック管の挿入は、前記既設管路の入口側及び出口側に作業ピットを掘り、出口側作業ピット内に牽引ワイヤ及びこれに後続するプラスチック管の進行方向を変更させるガイドロールを既設管路の出口部に設置し、牽引ワイヤ及びプラスチック管をウインチ等の牽引装置を用いて前記管路の入口から出口に向かって引き込み且つ管路の出口から引き出された牽引ワイヤ等の進行方向を前記ガイドロールによって地上方向に変えることにより行われる。
【０００４】
しかしながら、従来は、前記ガイドロールの支持を、前記既設管路への取り付けのみによって行っていたので、以下の不都合を有していた。即ち、前記ガイドロールは、前記牽引ワイヤ及び管路内挿通部材の進行方向を上方（地上方向）に案内する際の支点となるものであるから、管路内挿通部材を既設管路内に挿入する工程において該ガイドロールには上方向への大きな負荷が掛かる。従って、該ガイドロールを既設管路のみによって支持する従来の構成では、該既設管路に大きなダメージを与えることになり、既設管路の破損等を招く原因となっていた。
【０００５】
【発明が解決しようとする課題】
本発明は、前記問題点を解決するためになされたもので、既設管路内への管路内挿通部材の挿入に際し、該管路内挿通部材の進行経路変更用として作業ピット内に設置されるガイドロール装置であって、前記既設管路への負荷を軽減させることのでき、且つ、作業効率を向上させ得るガイドロール装置を提供することを目的とする。
【０００６】
【課題を解決するための手段】
本発明は、前記課題を達成するために、地中内に埋設された既設管路内に挿通すべき部材を、地上に固定設置された牽引装置の作動をして牽引ワイヤを介し前記既設管路内に入口から出口に向かって引き込むに際し、前記既設管路の出口側外方において、前記牽引ワイヤ及びこれに後続する前記挿通部材の移動経路を前記既設管路の軸方向から地上方向へ向けて案内するために設置されるガイドロール装置であって、前記既設管路の出口側端部に固定され、該既設管路出口から引き出される前記牽引ワイヤ及び挿通部材を地上方向へ導くガイドロール部材と、前記牽引装置及び既設管路出口間における前記牽引ワイヤの移動経路上に位置するように、前記牽引装置側に固定される支持部材と、一端が前記ガイドロール部材に且つ他端が前記支持部材に、それぞれ連結される軸方向長さ調整可能な支柱とを備え、前記支柱とガイドロール部材及び支持部材とは、自在継手を介して連結されているガイドロール装置を提供するものである。
【０００７】
好ましくは、前記支持部材に、前記牽引ワイヤ及び挿通部材を牽引装置の方向へ案内する第２ガイドロール部材を備えることができる。
【０００８】
好ましくは、前記ガイドロール部材を、前記既設管路に対し管軸方向位置調整可能に固定され得るものとすることができる。
【０００９】
好ましくは、前記支持部材を、前記牽引装置に対し垂直方向位置調整可能に固定され得るものとすることができる。
【００１０】
【発明の実施の形態】
以下に、本発明に係るガイドロール装置の好ましい一実施の形態につき添付図面を参照しつつ説明する。図１は、本実施の形態に係るガイドロール装置を用い、管路内挿通部材として内張り用プラスチック管を既設管路内へ引き込む工程の一例を示す側面図であり、図２は図１に示す工程例の平面図、図３は図１におけるＢ−Ｂ線断面図である。なお、本実施の形態においては、管路内に挿通すべき部材として内張り用プラスチック管を例に説明するが、本発明はこれに限られるものではなく、例えば、ブラシやスクレーパ等の管路内清掃具等の種々の管路内挿通部材を既設埋設管路内に引き込む際に用いられる。
【００１１】
本実施の形態に係るガイドロール装置１は、内張り用プラスチック管６０を、地上に固定設置されたウインチ７０等の牽引装置の作動をして牽引ワイヤ６５を介し地中内に埋設された既設管路５０内に入口から出口に向かって引き込むに際し、前記管路５０の出口側外方において、前記牽引ワイヤ６５及びこれに後続する前記プラスチック管６０の移動経路を前記管路５０の軸方向から地上方向へ向けて案内するために設置されるものである。
【００１２】
前記ガイドロール装置１は、既設管路５０の出口側端部に取り付けられるガイドロール部材１０と、一端が自在継手４０を介して前記ガイドロール部に連結され且つ他端が地上に延びる支柱２０と、自在継手４５を介して前記支柱２０の他端を支持する支持部材３０とを備えている。
【００１３】
図４は図１におけるＡ部拡大図、図５は該部分の分解図、図６は図５におけるＸ矢視図である。前記ガイドロール部材１０は、図４によく表れているように、既設管路５０の出口端部に締結される筒状のクランプ部１１と、該クランプ部に固定されるロール部１５とを有している。前記クランプ部１１及びロール部１５は一体形成することも可能であるが、前記既設管路５０への取付作業効率を考慮し、別体とするのが好ましい。
【００１４】
前記クランプ部１５は、種々のパイプクランプから構成でき、例えば、半円筒体の一対と、これらを締結するための締結金具とを備えることができる。前記クランプ部１１の上部には、図５及び図６に示すように、係合用凸部１２が既設管路５０の軸方向に沿って形成されている。該係合用凸部１２には幅方向に貫通する取付孔１２ａが、前記既設管路５０の軸方向に沿って所定ピッチで形成されている。
【００１５】
前記ロール部１５は、前記クランプの係合用凸部１２と係合する凹部１６と、該凹部の先方に設けられた支持軸１７と、該支持軸に相対回転自在に支持される第１ロール１８と、該第１ロールの上方に設けられたプレート部１９とを有している。
【００１６】
前記凹部１６の両側壁には、前記クランプの係合用凸部に形成された取付孔に対応する貫通孔１６ａが形成されている。従って、該貫通孔１６ａ及び前記取付孔１２ａの位置合わせを行うことによって、ロール部１５を前記クランプ部１１に対し軸方向位置調整可能に取り付けることができる。このように、ロール部１５のクランプ部１１への固定を管軸方向位置調整可能とすることにより、既設管路５０出口端及び第１ロール１８の間隔並びに出口側作業ピット１０１の基端側壁面及びロール部１５の間隔を容易に調整することができ、プラスチック管挿入作業の効率化を図ることができる。即ち、形成する作業ピットの大きさや既設管路の切断位置によって、出口側作業ピットの基端側壁面から突出する既設管路の長さが短くなる場合がある。この場合、ロール部１５が既設管路に対し管軸方向位置調整不能であれば、作業ピットを掘り直す必要が生じる。これに対し、本実施の形態においては、ロール部１５を管軸方向位置調整可能に固定し得るようにしているので、作業ピット内に突出する既設管路長が短い場合であっても、作業ピットを掘り直すことなく、ガイドロール部材１０を既設管路に固定することができる。
【００１７】
前記プレート部１９には、自在継手４０、好ましくは球関節継手を介して前記支柱が揺動自在に連結されている。該支柱２０は２重管構造とされており、内管及び外管をネジ結合するか、若しくは、内管及び外管それぞれに軸方向所定ピッチで調整孔を形成し、この位置合わせを行うことにより、軸方向伸縮可能となっている。本実施の形態においては、図７に示すように、軸方向に３分割されるようになっており、両端部２１，２１に挟まれる中央部２２が２重管構造となっている。
【００１８】
前記支柱２０の他端は、作業ピット１０１から地上に延びている。該支柱は、他端に自在継手４５を備えており、該自在継手４５を介して、支持部材３０に揺動自在に連結されている。該支柱２０の他端に備えられた自在継手４５は、図８によく表れているように、係合突起を４６有している。なお、本実施の形態においては、支柱を２本備える構成としたが、設置本数は、前記ガイドロール部材に掛かる負荷や支柱自身の強度等によって適宜変更することができる。
【００１９】
前記支持部材３０は、ウインチ７０に対し相対移動不能に固定されている。該支持部材３０のウインチ７０への固定位置は、垂直方向に調整可能となっている（図１及び図９参照）。なお、支持部材３０のウインチ７０への固定には、支持部材３０をウインチ７０自体に固定する他、ウインチを搭載する作業車（図１及び図９における符号１１０）に固定することや、ウインチ保持部材に固定することも含まれる。
【００２０】
前記支持部材３０は、支柱と直交し且つ水平方向に延びるプレート状の長尺部材であり、好ましくは、牽引ワイヤ及びプラスチック管をウインチ７０の方向に導く第２ガイドロール３１を備えることができる。該第２ガイドロール３１を備えることにより、ウインチ７０に巻き込まれる牽引ワイヤ５０の他の部材への抵触を防止することができ、これにより、プラスチック管引き込み作業の効率化を図ることができる。前記支持部材３０には、図２及び図８に示すように、前記支柱他端に備えられる自在継手４５の係合突起４６に係合する取付孔３２が、長手方向に沿って所定ピッチで形成されている。前述のように、支柱２０は、両端がそれぞれ自在継手４０，４５を介して連結角自在にガイドロール部材１０及び支持部材３０に連結されており、且つ、軸方向伸縮自在とされている。従って、支持部材に形成された取付孔３２の何れにも支柱２０の他端を連結させることが可能となっている。なお、自在継手４５と取付孔３２とは、図８に示すように、ピン４７によって脱落不能に連結される。
【００２１】
以上のように構成されたガイドロール装置によれば、以下の効果を得ることができる。即ち、ガイドロール部材１０を既設管路５０に取り付けると共に、実質的にウインチ７０と一体とされた支柱２０にも連結するようにしたので、前記ガイドロールを既設管路のみに支持させる従来の構成に比して、既設管路５０に掛かる負荷を軽減させることができ、これにより、既設管路５０の損傷等を防止することが可能になる。
【００２２】
また、前記支柱２０の両端を、それぞれ、自在継手４０及び４５を介してガイドロール部材１０及び支持部材３０に連結するようにしたので、ウインチ７０を、その巻き取り方向が既設管路５０の軸方向に合うように配置させる必要がなく、これにより、作業効率を向上させることができる。即ち、通常、ウインチは作業車に載置されているが、作業現場の状況によっては、前記作業車をウインチの巻き取り方向と既設管路の軸方向とを一致させるように停車できない場合がある。この場合、支柱の取付角度を調整できないとすると、プラスチック管の挿入作業を行うことができないこととなるが、本実施の形態に係るガイドロール装置によれば、支柱２０を既設管路５０の軸方向に対し任意方向に振ることができるので、前記作業車をどのような方向に向けて停車させてもプラスチック管の挿入作業を行うことができる。
【００２３】
さらに、支持部材３０のウインチ７０への固定位置を垂直方向に調整可能としているので、作業ピット１０１の縮小化を図ることができる。即ち、図９に示すように、支持部材３０の固定位置を上方に上げて、側面視における支柱２０の傾斜角を大きくすれば、小さい作業ピットでプラスチック管の挿入作業を行うことができ、これにより、プラスチック管挿入作業の効率化を図ることができる。
【００２４】
【発明の効果】
本発明に係るガイドロール装置によれば、地上に設置される牽引装置の作動によって既設管路の出口から引き出される牽引ワイヤ及びこれに後続する管路内挿通部材の移動経路を前記管路の軸方向から地上方向へ変えるガイドロールを、前記既設管路と、一端が牽引装置に固定される軸方向長さ調整可能な支柱とにより支持するようにし、さらに、前記支柱両端を自在継手を介して連結するようにしたので、前記管路内挿通部材の挿入作業における既設管路の保護及び作業効率化を図ることができる。
【００２５】
また、前記支持部材に牽引ワイヤ及び管路内挿通部材を牽引装置に向けて案内する第２ガイドロールを備えれば、牽引装置による前記牽引ワイヤの巻き取り効率を向上させ得る。
【００２６】
また、前記ガイドロール部材を前記既設管路に対し管軸方向位置調整可能に固定し得るようにすれば、ガイドロール部材の既設管路への取付を効率良く行うことが可能になる。
【００２７】
さらに、前記支持部材の前記牽引装置側への固定位置を垂直方向調整可能とすれば、作業ピットの縮小化を図ることができ、結果的に、プラスチック管挿入作業の効率化を図り得る。
【図面の簡単な説明】
【図１】図１は、本発明の一実施の形態に係るガイドロール装置を用いたプラスチック管挿入工程の一例を示す側面図である。
【図２】図２は、図１に示すプラスチック管挿入工程の平面図である。
【図３】図３は、図１に示すプラスチック管挿入工程の正面図である。
【図４】図４は、図１におけるＡ部拡大図である。
【図５】図５は、図１におけるＡ部の分解図である。
【図６】図６は、図５におけるＸ矢視図である。
【図７】図７は、図１に示すガイドロール装置における支柱の詳細図である。
【図８】図８は、図１に示すガイドロール装置における支柱とガイドロール部材及び支持部材との連結状態を説明するための図である。
【図９】図９は、図１に示すガイドロール装置を用いたプラスチック管挿入工程の他の例を示す側面図である。
【符号の説明】
１  ガイドロール装置
１０  ガイドロール部材
２０  支柱
３０  支持部材
４０，４５  自在継手
５０  既設管路
７０  ウインチ
【図１】
0004189057.tif 000002
【図２】
0004189057.tif 000003
【図３】
0004189057.tif 000004
【図４】
0004189057.tif 000005
【図５】
0004189057.tif 000006
【図６】
0004189057.tif 000007
【図７】
0004189057.tif 000008
【図８】
0004189057.tif 000009
【図９】
0004189057.tif 000010